(57)【要約】【課題】物体距離全域での高画質化や小型化に適した光学系を提供する。【解決手段】光学系により形成された物体像を撮像素子により撮像することで生成された画像に対して、該光学系の収差に応じたフィルタ値を有する画像回復フィルタを用いて画像回復処理が行われる場合に、光学系は、１＜｜Δyum＋Δylm｜／｜Δyui＋Δyli｜＜１２と２＜｜（Δyum＋Δylm）｜／２ｐ＜６とを満足する。Δyumは、中間物体距離に対する合焦状態において、８割像高に到達する７割上線のうちｄ線の横収差量、Δylmは、中間物体距離に対する合焦状態において、８割像高に到達する７割下線のうちｄ線の横収差量、Δyuiは、無限遠物体距離に対する合焦状態において、８割像高に到達する７割上線のうちｄ線の横収差量、Δyliは、無限遠物体距離に対する合焦状態において、８割像高に到達する７割下線のうちｄ線の横収差量、Ｐは撮像素子の画素ピッチである。【選択図】図１
2014021313.tif 000002
【特許請求の範囲】
【請求項１】
焦点調節が可能な光学系であって、
該光学系により形成された物体像を撮像素子により撮像することで生成された画像に対して、該光学系の収差に応じたフィルタ値を有する画像回復フィルタを用いて画像回復処理が行われる場合に、以下の条件を満足することを特徴とする光学系。
１＜｜Δyum＋Δylm｜／｜Δyui＋Δyli｜＜１２
２＜｜（Δyum＋Δylm）｜／２ｐ＜６
ただし、前記光学系の最大像高の８割の像高を８割像高とし、該光学系を通過するメリジオナル光線のうち有効光束径の７割の位置を通る上線および下線をそれぞれ、７割上線および７割下線とするとき、
Δyumは、中間物体距離に対する合焦状態において、前記８割像高に到達する前記７割上線のうちｄ線の横収差量であり、
Δylmは、前記中間物体距離に対する合焦状態において、前記８割像高に到達する前記７割下線のうちｄ線の横収差量であり、
Δyuiは、無限遠物体距離に対する合焦状態において、前記８割像高に到達する前記７割上線のうちｄ線の横収差量であり、
Δyliは、前記無限遠物体距離に対する合焦状態において、前記８割像高に到達する前記７割下線のうちｄ線の横収差量であり、
Ｐは前記撮像素子の画素ピッチであり、
前記中間物体距離は、
（前記光学系全体の焦点距離／前記撮像素子の対角長）×５２０
である。
【請求項２】
物体側から順に、正の屈折力を有する第１レンズ群と、負の屈折力を有する第２レンズ群とを含むことを特徴とする請求項１に記載の光学系。
【請求項３】
請求項１または２に記載の光学系により形成された物体像を撮像する撮像素子と、
該撮像素子からの出力を用いて画像を生成し、該画像に対して、前記光学系の収差に応じたフィルタ値を有する画像回復フィルタを用いて画像回復処理を行う画像処理部とを有することを特徴とする撮像装置。
【発明の詳細な説明】
【技術分野】
【０００１】
本発明は、デジタルスチルカメラやビデオカメラ等の撮像装置に用いられる光学系に関し、特に撮像により生成された画像に対して画像回復処理が行われる場合に好適な光学系に関する。
【背景技術】
【０００２】
デジタルカメラ等の撮像装置により被写体を撮像して得られた画像には、撮影光学系（以下、単に光学系という）の球面収差、コマ収差、像面湾曲、非点収差等に起因する画像劣化成分としてのぼけ成分が含まれる。このようなぼけ成分は、無収差で回折の影響もない場合に被写体の一点から出た光束が撮像面上で再度一点に集まるべきものが、ある広がりをもって像を結ぶことで発生する。
【０００３】
ここにいうぼけ成分は、光学的には、点像分布関数（Point Spread Function：ＰＳＦ）により表され、ピントのずれによるぼけとは異なる。また、カラー画像での色にじみも、光学系の軸上色収差、色の球面収差、色のコマ収差が原因であるものに関しては、光の波長ごとのぼけ方の相違と言うことができる。さらに、横方向の色ずれも、光学系の倍率色収差が原因であるものに関しては、光の波長ごとの撮像倍率の相違による位置ずれ又は位相ずれと言うことができる。
【０００４】
点像分布関数（ＰＳＦ）をフーリエ変換して得られる光学伝達関数（OpticalTransferFunction：ＯＴＦ）は、収差の周波数成分情報であり、複素数で表される。光学伝達関数（ＯＴＦ）の絶対値、すなわち振幅成分を、ＭＴＦ（Modulation Transfer Function）といい、位相成分をＰＴＦ（Phase Transfer Function）という。ＭＴＦおよびＰＴＦはそれぞれ、収差による画像劣化の振幅成分および位相成分の周波数特性である。ここでは、位相成分を位相角として以下の式で表す。Ｒｅ（ＯＴＦ）およびＩｍ（ＯＴＦ）はそれぞれ、ＯＴＦの実部および虚部を表す。
ＰＴＦ＝ｔａｎ-1（Ｉｍ（ＯＴＦ）／Ｒｅ（ＯＴＦ））
このように、光学系の光学伝達関数（ＯＴＦ）は、画像の振幅成分と位相成分に対して劣化を与えるため、劣化画像は被写体の各点がコマ収差のように非対称にぼけた状態になる。
【０００５】
また、倍率色収差は、光の波長ごとの結像倍率の相違によって結像位置がずれた色成分ごとの像を、撮像装置の分光特性に応じて色成分ごとに取得することで発生する。このとき、ＲＧＢ等の色成分間で結像位置がずれるだけでなく、各色成分内でも波長ごとの結像位置のずれ、すなわち位相ずれによる像の広がりが発生する。このため、正確には倍率色収差は単なる平行シフトの色ずれではないが、本明細書では、色ずれを倍率色収差と同じものとして記載する。
【０００６】
劣化画像（入力画像）における振幅成分（ＭＴＦ）の劣化と位相成分（ＰＴＦ）の劣化を補正する方法として、光学系の光学伝達関数の情報を用いるものが知られている。この方法は、画像回復や画像復元とも呼ばれており、以下、この光学系の光学伝達関数の情報を用いて劣化画像を補正（低減）する処理を画像回復処理（または単に回復処理）と称する。そして、詳細は後述するが、画像回復処理の方法の１つとして、光学伝達関数の逆特性を有する実空間の画像回復フィルタを入力画像に対して畳み込む（コンボリューション）方法が知られている（特許文献１参照）。また、特許文献２には、画像の劣化を補正するためのフィルタ係数を保持して画像処理（画像回復）を行う方法が開示されている。
【０００７】
さらに、特許文献３には、物体距離が異なる被写体を撮像して得られた画像に対しても良好な画像回復を行うために、球面収差を発生させて所望の解像（ＭＴＦ幅）を得る方法が開示されている。
【先行技術文献】
【特許文献】
【０００８】
【特許文献１】特表２００５−５０９３３３号公報
【特許文献２】特開２０１０−５６９９２号公報
【特許文献３】特開２０１１−０２８１６６号公報
【発明の概要】
【発明が解決しようとする課題】
【０００９】
光学系の収差の物体距離による変動を少なくすることは、一般に困難である。このため無限遠物体距離に対して合焦した状態での性能を重視すると、最至近物体距離に対して合焦した状態での収差は悪化する傾向がある。
【００１０】
一方、画像回復を行うことを前提とすれば、光学系のある程度の収差を許容することができ、その結果、該光学系の物体距離全域での高画質化を容易とすることが可能である。また、光学系の小型化のために該光学系を構成する各レンズ群の屈折力を強めることで発生した収差による画像の劣化を画像回復によって補正することで、光学系の小型化を実現することもできる。
【００１１】
しかしながら、画像回復の強度を高くしすぎると劣化画像に含まれていたノイズ成分が強調される。また、光学系の収差の許容量が大きすぎると、画像回復を行っても画像の劣化を十分に補正できない。例えば、収差のうち像面湾曲が大きすぎると、光学系を構成するレンズの製造誤差や撮像素子の倒れによって、撮像素子上で像面が倒れてしまい、解像力の非対称性である「片ぼけ」が顕著となる。この場合、画像回復を行っても片ぼけを良好に補正できない。
【００１２】
したがって、画像回復を前提として光学系の物体距離全域での高画質化や小型化を実現するためには、画像回復に適した収差の発生のさせ方を考慮する必要がある。特許文献１〜３では、このような画像回復に適した光学系の収差については何ら説明されていない。このうち特許文献３では、球面収差を発生させて所望のＭＴＦ幅を得る一方、ＭＴＦピーク像面にてメリジオナル方向およびサジタル方向ともに解像力が大きく劣化している。このため、画像回復のゲインを大きくする必要があり、その結果、ノイズが増大して、良好な画質を得ることが困難である。
【００１３】
本発明は、画像回復を行うことを前提として、物体距離全域での高画質化や小型化に適した光学系および該光学系を用いた撮像により得られた画像に対して画像回復を行う撮像装置を提供する。
【課題を解決するための手段】
【００１４】
本発明の一側面としての光学系は、焦点調節が可能であり、該光学系により形成された物体像を撮像素子により撮像することで生成された画像に対して、該光学系の収差に応じたフィルタ値を有する画像回復フィルタを用いて画像回復処理が行われる場合に、以下の条件を満足することを特徴とする。
１＜｜Δyum＋Δylm｜／｜Δyui＋Δyli｜＜１２
２＜｜（Δyum＋Δylm）｜／２ｐ＜６
ただし、該光学系の最大像高の８割の像高を８割像高とし、該光学系を通過するメリジオナル光線のうち有効光束径の７割の位置を通る上線および下線をそれぞれ、７割上線および７割下線とするとき、
Δyumは、中間物体距離に対する合焦状態において、８割像高に到達する７割上線のうちｄ線の横収差量であり、
Δylmは、中間物体距離に対する合焦状態において、８割像高に到達する７割下線のうちｄ線の横収差量であり、
Δyuiは、無限遠物体距離に対する合焦状態において、８割像高に到達する７割上線のうちｄ線の横収差量であり、
Δyliは、無限遠物体距離に対する合焦状態において、８割像高に到達する７割下線のうちｄ線の横収差量であり、
Ｐは撮像素子の画素ピッチであり、
上記中間物体距離は、
（光学系全体の焦点距離／撮像素子の対角長）×５２０
である。
【００１５】
なお、上記光学系により形成された物体像を撮像する撮像素子と、該撮像素子からの出力を用いて画像を生成し、該画像に対して、該光学系の収差に応じたフィルタ値を有する画像回復フィルタを用いて画像回復処理を行う画像処理部とを有する撮像装置も、本発明の他の一側面を構成する。
【発明の効果】
【００１６】
本発明によれば、画像回復に適した収差を発生させつつ、物体距離全域での高画質化や小型化が可能な光学系を実現することができる。また、この光学系を用いた撮像および画像回復処理を行うことで高画質の画像が得られる小型の撮像装置を実現することができる。
【図面の簡単な説明】
【００１７】
【図１】本発明の実施例１（数値例１）である光学系の広角端での断面図。
【図２】実施例１の光学系の広角端および中間焦点距離での無限遠物体距離に対する合焦状態での縦収差図。
【図３】実施例１の光学系の望遠端での無限遠物体距離に対する合焦状態での縦収差図および横収差図。
【図４】実施例１の光学系の望遠端での最至近物体距離に対する合焦状態での縦収差図および横収差図。
【図５】実施例１の光学系の望遠端での中間物体距離に対する合焦状態での縦収差図および横収差図。
【図６】本発明の実施例２（数値例２）である光学系の広角端での断面図。
【図７】実施例２の光学系の広角端および望遠端での無限遠物体距離に対する合焦状態での縦収差図。
【図８】実施例２の光学系の中間焦点距離での無限遠物体距離に対する合焦状態での縦収差図および横収差図。
【図９】実施例２の光学系の中間焦点距離での最至近物体距離に対する合焦状態での縦収差図および横収差図。
【図１０】実施例２の光学系の中間焦点距離での中間物体距離に対する合焦状態での縦収差図および横収差図。
【図１１】本発明の実施例３（数値例３）である光学系の広角端での断面図。
【図１２】実施例３の光学系の広角端および中間焦点距離での無限遠物体距離に対する合焦状態の縦収差図。
【図１３】実施例３の光学系の望遠端での無限遠物体距離に対する合焦状態での縦収差図および横収差図。
【図１４】実施例３の光学系の望遠端での最至近物体距離に対する合焦状態での縦収差図および横収差図。
【図１５】実施例３の光学系の望遠端での中間物体距離に対する合焦状態での縦収差図および横収差図。
【図１６】各実施例の光学系が前提とする画像回復処理にて用いられる画像回復フィルタを説明する図。
【図１７】上記画像回復処理による点像の補正を説明する図。
【図１８】上記画像回復処理による振幅と位相の補正を説明する図。
【図１９】各実施例における画像回復処理を前提とした収差の発生のさせ方を示す横収差図。
【図２０】各実施例の光学系を備えた撮像装置の構成を示すブロック図。
【発明を実施するための形態】
【００１８】
以下、本発明の実施例について図面を参照しながら説明する。
【００１９】
まず、具体的な実施例の説明に先立って、各実施例で用いる用語の定義と画像回復処理について説明する。
「入力画像」
入力画像は、撮像装置において撮影光学系により形成された被写体像を光電変換した撮像素子からの出力を用いて生成されたデジタル画像である。このデジタル画像は、レンズや光学フィルタ等の光学素子により構成された撮影光学系の収差の情報を含む光学伝達関数（ＯＴＦ）に応じて劣化した画像である。撮像素子は、ＣＭＯＳやＣＣＤ等の光電変換素子により構成される。撮影光学系は、曲率を有するミラー（反射面）を含んでもよい。また、撮影光学系は、撮像装置に対して着脱（交換）が可能であってもよい。撮像装置において、撮像素子および該撮像素子の出力を用いてデジタル画像（入力画像）を生成する信号処理回路により撮像系が構成される。
【００２０】
入力画像の色成分は、例えばＲＧＢ色成分の情報を有している。色成分の扱いとしては、これ以外にもＬＣＨで表現される明度、色相および彩度や、ＹＣｂＣｒで表現される輝度および色差信号等、一般に用いられている色空間を選択して用いることができる。その他の色空間としては、例えば、ＸＹＺ，Ｌａｂ，Ｙｕｖ，ＪＣｈを用いることが可能であり、さらに色温度を用いることも可能である。
【００２１】
入力画像や回復画像（出力画像）には、入力画像を生成した撮像時における撮影光学系の焦点距離、絞り値、合焦した被写体距離（物体距離）等の状態である撮影状態（言い換えれば、撮影条件）を示す情報としての撮影状態情報を付帯することができる。また、入力画像を補正するための各種補正情報も付帯することができる。撮像装置から、これとは別に設けられた画像処理装置に入力画像を出力し、該画像処理装置にて画像回復処理を行う場合には、入力画像に撮影状態情報や補正情報を付帯することが好ましい。撮影状態情報や補正情報は、入力画像に付帯する以外に、撮像装置から画像処理装置に直接または間接的に通信により受け渡すこともできる。
「画像回復処理」
撮像装置による撮像によって生成された入力画像（劣化画像）をｇ（ｘ，ｙ）とし、元の劣化していない画像をｆ（ｘ，ｙ）とし、光学伝達関数（ＯＴＦ）のフーリエペアである点像分布関数（ＰＳＦ）をｈ（ｘ，ｙ）とする場合、以下の式が成り立つ。＊はコンボリューション（畳み込み積分または積和）を示し、（ｘ，ｙ）は入力画像上の座標（位置）を示す。
ｇ（ｘ，ｙ）＝ｈ（ｘ，ｙ）＊ｆ（ｘ，ｙ）
この式をフーリエ変換して周波数面での表示形式に変換すると、以下の式のように周波数ごとの積の形式になる。Ｈは点像分布関数（ＰＳＦ）ｈをフーリエ変換したものであり、光学伝達関数（ＯＴＦ）に相当する。Ｇ，Ｆはそれぞれ、ｇ，ｆをフーリエ変換したものである。（ｕ，ｖ）は２次元周波数面での座標、すなわち周波数を示す。
Ｇ（ｕ，ｖ）＝Ｈ（ｕ，ｖ）・Ｆ（ｕ，ｖ）
撮像により生成された劣化画像から元の画像を得るためには、以下のように、上記式の両辺をＨで除算すればよい。
Ｇ（ｕ，ｖ）／Ｈ（ｕ，ｖ）＝Ｆ（ｕ，ｖ）
Ｆ（ｕ，ｖ）、すなわちＧ（ｕ，ｖ）／Ｈ（ｕ，ｖ）を逆フーリエ変換して実面に戻すことで、元の画像ｆ（ｘ，ｙ）である回復画像が得られる。
【００２２】
ここで、Ｈ−１を逆フーリエ変換したものをＲとすると、以下の式のように実面での画像に対するコンボリューション処理を行うことで、同様に元の画像ｆ（ｘ，ｙ）である回復画像を得ることができる。
ｇ（ｘ，ｙ）＊Ｒ（ｘ，ｙ）＝ｆ（ｘ，ｙ）
このＲ（ｘ，ｙ）が画像回復フィルタである。入力画像が２次元であるとき、一般に画像回復フィルタも該２次元画像の各画素に対応したタップ（セル）を有する２次元フィルタとなる。また、一般に画像回復フィルタのタップ数（セル数）が多いほど画像回復精度が向上するため、出力画像としての要求画質、画像処理装置としての画像処理能力、撮影光学系の収差の特性等に応じて実現可能なタップ数を設定する。
【００２３】
画像回復フィルタは、少なくとも収差の特性を反映している必要があるため、従来の水平垂直各３タップ程度のエッジ強調フィルタ（ハイパスフィルタ）等とは全く異なる。また、画像回復フィルタは、撮影光学系の収差の情報を含む光学伝達関数（ＯＴＦ）に基づいて生成されるため、劣化画像（入力画像）における振幅成分と位相成分の劣化をともに高精度に補正することができる。
【００２４】
また、実際の入力画像にはノイズ成分が含まれる。このため、上記のように光学伝達関数（ＯＴＦ）の完全な逆数をとって作成した画像回復フィルタを用いると、劣化画像が回復されるだけでなくノイズ成分が大幅に増幅されてしまう。これは、入力画像の振幅成分にノイズの振幅が付加されている状態に対して撮影光学系のＭＴＦ（振幅成分）を全周波数にわたって１に戻すようにＭＴＦを持ち上げるためである。撮影光学系による振幅劣化であるＭＴＦは１に戻るが、同時にノイズ成分のパワースペクトルも持ち上がってしまい、結果的にＭＴＦを持ち上げる度合い、すなわち回復ゲインに応じてノイズが増幅されてしまう。
【００２５】
したがって、ノイズがある場合には鑑賞用画像としては良好な画像は得られない。これを式で示すと以下のように表せる。Ｎはノイズ成分を表している。
Ｇ（ｕ，ｖ）＝Ｈ（ｕ，ｖ）・Ｆ（ｕ，ｖ）＋Ｎ（ｕ，ｖ）
Ｇ（ｕ，ｖ）／Ｈ（ｕ，ｖ）＝Ｆ（ｕ，ｖ）＋Ｎ（ｕ，ｖ）／Ｈ（ｕ，ｖ）
この点については、例えば、式（１）に示すウィナーフィルタのように画像信号とノイズ信号の強度比（ＳＮＲ）に応じて回復度合いを制御する方法が知られている。
【００２６】
【数１】
2014021313.tif 000003
【００２７】
Ｍ（ｕ，ｖ）はウィナーフィルタの周波数特性を示し、｜Ｈ（ｕ，ｖ）｜は光学伝達関数（ＯＴＦ）の絶対値（ＭＴＦ）を示す。この方法は、周波数ごとに、ＭＴＦが小さいほど回復ゲインを抑制し、ＭＴＦが大きいほど回復ゲインを強くするものである。一般に、撮影光学系のＭＴＦは、低周波数側が高く、高周波数側が低くなるため、実質的に画像信号の高周波数側の回復ゲインを抑制する方法となる。
【００２８】
画像回復フィルタを、図１６を用いて説明する。画像回復フィルタは、撮影光学系の収差特性や要求される画像回復精度に応じてタップ数が決められる。
【００２９】
図１６（Ａ）では、例として、１１×１１タップの２次元画像回復フィルタを示している。図１６（Ａ）では、各タップ内の値（係数値）を省略しているが、この画像回復フィルタの１つの断面を図１６（Ｂ）に示す。図１６（Ｂ）に示す画像回復フィルタの各タップ内の値は、上述した撮影光学系の様々な収差の情報に基づいて設定される。この画像回復フィルタのタップ値の分布が、収差によって空間的に広がった信号値（ＰＳＦ）を、理想的には元の１点に戻す役割を果たす。
【００３０】
画像回復処理では、画像回復フィルタの各タップの値が、入力画像における各タップに対応する各画素に対してコンボリューション（畳み込み積分や積和ともいう）される。コンボリューションの処理では、ある画素の信号値を改善するために、その画素を画像回復フィルタの中心と一致させる。そして、入力画像と画像回復フィルタの対応画素ごとに入力画像の信号値と画像回復フィルタのタップの値（係数値）との積をとり、その総和を中心画素の信号値として置き換える。
【００３１】
画像回復処理の実空間と周波数空間での特性を図１７および図１８を用いて説明する。図１７における（ａ）は画像回復前のＰＳＦを示し、（ｂ）は画像回復後のＰＳＦを示している。また、図１８の（Ｍ）における（ａ）は画像回復前のＭＴＦを示し、（Ｍ）における（ｂ）は画像回復後のＭＴＦを示している。さらに、図１８の（Ｐ）における（ａ）は画像回復前のＰＴＦを示し、（Ｐ）における（ｂ）は画像回復後のＰＴＦを示している。画像回復前のＰＳＦは非対称な広がりを持っており、この非対称性によりＰＴＦは周波数に対して非直線的な値を持つ。画像回復処理は、ＭＴＦを増幅し、ＰＴＦを零に補正するため画像回復後のＰＳＦは対称で、かつ鮮鋭になる。
【００３２】
画像回復フィルタは、撮影光学系の光学伝達関数（ＯＴＦ）の逆関数に基づいて設計した関数を逆フーリエ変換して作成することができる。例えば、ウィナーフィルタを用いる場合、式（１）を逆フーリエ変換することで、実際に入力画像に畳み込む実空間の画像回復フィルタを作成することができる。
【００３３】
また、光学伝達関数（ＯＴＦ）は、同じ撮影条件であっても撮影光学系の像高（画像上での位置）に応じて変化するので、画像回復フィルタは像高に応じて変更して使用される。
【００３４】
以下、上述した画像回復処理による補正に適した画像の劣化を生じさせる収差が与えられることで物体距離全域での高画質化や小型化が達成された、焦点調節が可能な光学系（撮影光学系）の具体例を、実施例１〜３（数値例１〜３）として説明する。
【００３５】
図１、図６、図１１および図１１には、実施例１〜３の光学系の広角端での断面を示している。図中の各群（Ｌ１〜Ｌ６，ＳＰ）の下に記載された矢印は、広角端から望遠端までの各群の動きを示している。なお、実施例１〜３の光学系はいずれも、変倍が可能なズームレンズであるが、変倍ができなくても、フォーカスレンズ群を移動させて合焦面と撮像面（センサー面）とを一致させることが可能な単焦点光学系であれば、本発明の他の実施例となる。
【００３６】
図２（Ａ），（Ｂ）にはそれぞれ、実施例１の光学系の広角端および中間焦点距離での無限遠物体距離（無限遠端）に対する合焦状態での縦収差図を示している。また、図３（Ａ），（Ｂ）にはそれぞれ、実施例１の光学系の望遠端での無限遠物体距離に対する合焦状態での縦収差図および横収差図を示している。縦収差図には、球面収差、非点収差、歪曲および倍率色収差を示している。また、横収差図には、画面中心での横収差と、８割像高（これについては後述する）での横収差を示している。また、図４（Ａ），（Ｂ）にはそれぞれ、実施例１の光学系の望遠端での最至近物体距離（至近端）に対する合焦状態での縦収差図および横収差図を示している。さらに、図５（Ａ），（Ｂ）にはそれぞれ、実施例１の光学系の望遠端での中間物体距離に対する合焦状態での縦収差図および横収差図を示している。
【００３７】
図７（Ａ），（Ｂ）にはそれぞれ、実施例２の光学系の広角端および望遠端での無限遠物体距離に対する合焦状態での縦収差図を示している。また、図８（Ａ），（Ｂ）にはそれぞれ、実施例２の光学系の中間焦点距離での無限遠物体距離に対する合焦状態での縦収差図および横収差図を示している。また、図９（Ａ），（Ｂ）にはそれぞれ、実施例２の光学系の中間焦点距離での最至近物体距離に対する合焦状態での縦収差図および横収差図を示している。さらに、図１０（Ａ），（Ｂ）にはそれぞれ、実施例２の光学系の中間焦点距離での中間物体距離に対する合焦状態での縦収差図および横収差図を示している。
【００３８】
図１２（Ａ），（Ｂ）にはそれぞれ、実施例３の光学系の広角端および中間焦点距離での無限遠物体距離に対する合焦状態での縦収差図を示している。また、図１３（Ａ），（Ｂ）にはそれぞれ、実施例３の光学系の望遠端での無限遠物体距離に対する合焦状態での縦収差図および横収差図を示している。また、図１４（Ａ），（Ｂ）にはそれぞれ、実施例３の光学系の望遠端での最至近物体距離に対する合焦状態での縦収差図および横収差図を示している。さらに、図１５（Ａ），（Ｂ）にはそれぞれ、実施例３の光学系の望遠端での中間物体距離に対する合焦状態での縦収差図および横収差図を示している。
【００３９】
各ズームレンズの断面図において、Ｌ１〜Ｌ６はそれぞれ、第１〜６レンズ群を示している。また、ＧＢは、光学フィルタや色分解プリズム等のガラスブロックを示し、ＳＰは開口絞りを示す。また、ＩＰは像面を示す。
【００４０】
各収差図において、ｄ，ｇはそれぞれ、ｄ線およびｇ線の収差を示す。また、ΔＭ，ΔＳはそれぞれ、メリジオナル像面およびサジタル像面での収差を示す。さらに、横収差図において、Ｓはサジタル光線の収差を、Ｍはメリジオナル光線の収差を示している。倍率色収差はｇ線により示している。
【００４１】
各実施例の光学系（撮影光学系としてのレンズ）は、その光学系により形成された物体像を撮像素子により撮像することで生成された画像に対して、該光学系の収差に応じたフィルタ値を有する画像回復フィルタを用いて画像回復処理が行われることを前提とする。この場合に、各実施例の光学系は、以下の条件（１），（２）の双方を満足する。なお、条件（１），（２）において、光学系の最大像高の８割の像高、言い換えれば撮像素子（画面）の中心から周辺部に向かって、該撮像素子のサイズであるセンサーサイズの８割に相当する像高を、８割像高とする。また、該光学系を通過するメリジオナル光線のうち有効光束径の７割の位置を通る上線および下線をそれぞれ、７割上線および７割下線とする。
１＜｜Δyum＋Δylm｜／｜Δyui＋Δyli｜＜１２    （１）
２＜｜（Δyum＋Δylm）｜／２ｐ＜６              （２）
ただし、
Δyumは、中間物体距離に対する合焦状態において、８割像高に到達する７割上線のうちｄ線の横収差量であり、
Δylmは、中間物体距離に対する合焦状態において、８割像高に到達する７割下線のうちｄ線の横収差量であり、
Δyuiは、無限遠物体距離に対する合焦状態において、８割像高に到達する７割上線のうちｄ線の横収差量であり、
Δyliは、無限遠物体距離に対する合焦状態において、８割像高に到達する７割下線のうちｄ線の横収差量であり、
Ｐは撮像素子の画素ピッチである。
【００４２】
また、上記中間物体距離は、
（光学系全体の焦点距離／撮像素子の対角長）×５２０
である。撮像素子の対角長とは、より厳密に言えば、撮像素子の有効撮像領域の対角長の意味である。
【００４３】
条件（１），（２）は、画像回復を行うことを前提としつつ、物体距離全域（無限遠物体距離〜最至近物体距離）において高画質が得るとともに、小型の光学系を実現するための条件である。
【００４４】
物体距離が変化すると、合焦面が撮像素子の位置（以下、センサー位置ともいう）からずれるために、フォーカスレンズ群を移動させて合焦面とセンサー位置とを一致させるのが一般的である。しかし、フォーカスレンズ群を移動させると、該フォーカスレンズ群と他のレンズ群との相対関係が変化するために、物体距離が変化したときの収差変動が大きくなる。特に像面湾曲の変動が大きくなる。また、無限遠物体距離に対する合焦位置から至近端に対する合焦位置までフォーカスレンズ群が移動する間に、球面収差と像面湾曲とがずれるために、軸上と軸外での焦点面がずれ、この結果、センサー位置での画質が劣化する。
【００４５】
このような物体距離の変化時の像面湾曲の変動は、ある物体距離での像面湾曲を光学的に補正すると、他の物体距離での像面湾曲が悪化する関係となっている。このため、従来の画像回復を行うことを前提としない光学系では、物体距離の全域での光学性能を良好にするために、物体距離の変化に伴う像面湾曲の変動を残存させて、物体距離の全域でバランスをとる設計が行われている。
【００４６】
このような像面変動が残存する光学系においては、コマ収差を意図的に発生させることで、物体距離の変化に伴う像面湾曲を補正することができる。図１９（Ａ）は、無限遠物体距離に対する合焦状態から至近端に対する合焦状態までにおける代表的な横収差図を示す。この図における画面中心の横収差では、球面収差が一般的な光学系と比較して小さいために、軸上においてＭＴＦがピークとなる像面（以下、ＭＴＦピーク像面という）が合焦面とほぼ一致する。
【００４７】
これに対して、８割像高では、メリジオナル像面がオーバーとなり、軸外のＭＴＦピーク像面が軸上のＭＴＦピーク像面に対してずれる。特に、メリジオナル光線の下線がマイナス方向に発生するためである。このため、図１９（Ｂ）に示すように、メリジオナル光線の上線をマイナス方向に発生させることで、メリジオナル像面全体のオーバー傾向を改善することが可能となる。
【００４８】
そして、像面湾曲の変動の改善に伴ってコマ収差が劣化し、解像度も劣化するが、解像度の劣化を画像回復によって補正することで、像面湾曲の変動を改善しつつ良好な画質を達成することができる。
【００４９】
以上のように、コマ収差を発生させることによる画像の劣化を画像回復にて補正することにより、物体距離の変化時の像面湾曲を補正した光学系を達成することができる。
【００５０】
条件（１）は、中間物体距離に対する合焦状態と無限遠物体距離に対する合焦状態とで発生させるコマ収差量の割合を制限する。条件（１）の値がその上限を超えると、中間物体距離に対する合焦状態にてコマ収差が発生しすぎて画像の劣化が顕著となる。また、条件（１）の値がその下限を下回ると、中間物体距離に対する合焦状態でのコマ収差が小さく、物体距離の変化に伴う像面湾曲の変動を補正することが困難になるため、好ましくない。
【００５１】
条件（１）の範囲を以下のようにすることがより望ましい。
１ ＜｜Δyum＋Δylm｜/｜Δyui＋Δyli｜＜ １０    （１）′
条件（２）は、光学系の画質に関する条件である。条件（２）の値がその下限を下回ると、コマ収差量が小さく、物体距離の変化に伴う像面湾曲の変動を補正することが困難になるため、好ましくない。一方、条件（２）の値がその上限を超えると、発生するコマ収差が大きすぎ、画像回復処理前の画像の劣化が著しい。したがって、画像回復処理を行っても良好な回復画像を得ることができないか、画像回復を極端に強くした結果、ノイズが強調された画像が得られてしまう。
条件（２）の範囲を以下のようにすることがより望ましい。
２＜｜（Δyum＋Δylm）｜／２ｐ＜５      （２）′
前述したように、本実施例では、中間物体距離を、
（光学系全体の焦点距離／撮像素子の対角長）×５２０
とする。物体距離がこの中間物体距離を超えると、例えば、実施例３にて用いられる撮像素子の対角長に対して光学系全体の焦点距離が大きくなる。このとき、中間物体距離が大きくなり、無限遠物体距離に近くなってしまう。このため、物体距離の変化に伴う像面湾曲の変動を低減することが困難になる。また、この中間物体距離を下回ると、実施例１，２にて用いられる撮像素子の対角長に対して光学系全体の焦点距離が小さくなる。このとき、中間物体距離が小さくなり、最近端距離に近くなってしまう。このため、物体距離の変化に伴う像面湾曲の変動を低減することが困難になる。
【００５２】
従来の光学系は、各実施例の光学系のように画像回復に適したコマ収差の発生のさせ方まで考慮した設計はなされていない。つまり、従来のズームレンズは、画像回復を行うことを前提としておらず、仮に物体距離の中間領域の一部で条件（１），（２）のいずれかを満足していたとしても、それは単に光学性能が補正できていない光学系である。
【００５３】
また、実施例１〜３の光学系はいずれも、物体側から順に、正の屈折力を有する第１レンズ群Ｌ１と、負の屈折力を有する第２レンズ群Ｌ２とを含む。
【００５４】
図２０には、上記各実施例の光学系を撮影光学系１１として用いて撮像を行う撮像装置１０を示している。１２は撮像素子であり、各ズームレンズの断面図に示した像面ＩＰの位置に配置される。１３は画像処理部であり、撮像素子１２からの出力に対して各種画像処理を行うことで画像（入力画像）を生成し、さらに該画像に対して画像回復処理を行う。１４は表示・記録部であり、画像処理部１３にて画像回復処理を受けた画像（回復画像）をモニタに表示したり、半導体メモリ等の記録媒体に記録したりする。
【００５５】
以下、各実施例の具体的な数値例について説明する。
【実施例１】
【００５６】
図１に示す実施例１（数値例１）の光学系は、物体側から順に、正の第１レンズ群Ｌ１、負の第２レンズ群Ｌ２、正の第３レンズ群Ｌ３、負の第４レンズ群Ｌ４、正の第５レンズ群Ｌ５、負の第６レンズ群Ｌ６およびガラスブロックＧＢにより構成されている。第３レンズ群Ｌ３における最も像側に開口絞りＳＰが配置されている。実施例１において、最大像高は２１．６３５ｍｍである。像面ＩＰには、フルサイズ（２４ｍｍ×３６ｍｍ）の撮像素子が配置される。この撮像素子の画素ピッチは、６．４μｍである。
【００５７】
図２（Ａ），（Ｂ）に示す広角端および中間焦点距離での無限遠物体距離に対する合焦状態の縦収差図から分かるように、収差は良好に補正されている。また、図３（Ｂ）、図４（Ｂ）および図５（Ｂ）に示す望遠端での無限遠端、至近端および中間物体距離に対する合焦状態での横収差図から分かるように、コマ収差を出すことで、望遠端での物体距離全域における像面湾曲の変動を少なくしている。
【００５８】
以下に実施例１の諸数値を示す。ｒｉ（ｉ＝１，２，３，…）は物体側から数えてｉ番目のレンズ面の曲率半径を示し、ｄｉはｉ番目のレンズ厚または空気間隔を示す。また、ｎｄｉとνｄｉはｉ番目のレンズの材料のｄ線に対する屈折率とアッベ数を示す。また、レンズ面が非球面形状を有する場合の該非球面形状は、レンズ面の中心部の曲率半径をＲとし、光軸方向の位置（座標）をＸとし、光軸に直交する方向での位置（座標）をＹとし、非球面係数をＡｉ（ｉ＝１，２，３…）として、
Ｘ＝（Ｙ２／Ｒ）／［１＋｛１―（Ｋ＋１）(Ｙ／Ｒ)２｝１／２］
＋Ａ４Ｙ４＋Ａ６Ｙ６＋Ａ８Ｙ８＋Ａ１０Ｙ１０＋・・・
なる式で表されるものとする。e±Ｍは、×１０±Ｍを意味する。また、表１には、実施例１と上述した条件との関係を示す。
（数値例１）
単位 mm
面データ
面番号       r        d      nd         νd       有効径
1         95.784    6.02   1.48749    70.2       56.00
2        737.461    0.18                         55.50
3        102.717    2.10   1.61340    44.3       53.80
4         45.455    9.10   1.49700    81.5       50.97
5       2528.799  (可変)                         50.29
6       -165.094    1.20   1.83481    42.7       25.20
7         55.232    3.29                         24.32
8        -45.986    1.20   1.63854    55.4       24.28
9         53.394    2.97   1.84666    23.8       24.72
10       -414.048  (可変)                         25.00
11        344.048    4.25   1.49700    81.5       25.60
12        -42.005    0.15                         25.76
13         66.804    4.35   1.58913    61.1       25.41
14        -42.512    1.20   1.85026    32.3       25.09
15       -264.354    1.00                         24.86
16(絞り)    ∞     (可変)                         24.61
17        -48.251    1.20   1.70154    41.2       23.00
18         40.610    3.94   1.80518    25.4       23.66
19       -169.835  (可変)                         23.80
20       -249.784    2.80   1.69680    55.5       25.20
21        -83.232    0.15                         25.57
22        181.284    5.19   1.60311    60.6       25.75
23        -30.728    1.25   1.84666    23.8       25.66
24       -127.921    0.15                         25.87
25         99.327    2.35   1.77250    49.6       25.86
26       -130.324  (可変)                         25.60
27         74.930    1.20   1.88300    40.8       25.03
28         29.783    3.57                         24.31
29       -112.308    2.85   1.80518    25.4       24.44
30        -31.068    4.56                         24.80
31        -26.035    1.25   1.88300    40.8       24.41
32          ∞       2.75                         25.82
33         56.384    3.69   1.69895    30.1       29.16
34        967.801  (可変)                         29.56
35          ∞       1.13   1.51633    64.2       50.00
36          ∞       0.20                         50.00
37          ∞       0.40   1.51633    64.2       50.00
38          ∞     (可変)                         50.00
像面∞
各種データ
ズーム比      4.02 
広角中間望遠
焦点距離      72.19   135.01   290.31  
Fナンバー      4.28     4.75     5.94  
画角          16.68     9.10     4.26  
像高          21.64    21.64    21.64  
レンズ全長   185.42   214.97   239.40  
BF             0.41     0.41     0.41  
d 5            3.28    32.82    57.26  
d10           25.74    13.79     1.08  
d16            5.86    23.88    44.40  
d19           18.36    12.28     4.46  
d26           13.57    11.99     0.99  
d34           42.58    44.16    55.16  
d38            0.41     0.41     0.41  
入射瞳位置    46.11   111.44   201.54  
射出瞳位置   -91.42  -101.46  -118.76  
前側主点位置  61.54    67.51  -215.38  
後側主点位置 -71.79  -134.60  -289.90  
レンズ群データ
群  始面  焦点距離    レンズ構成長  前側主点位置  後側主点位置
L1   1     130.99        17.40         0.81        -10.78
L2   6     -35.13         8.66         1.17         -5.10
L3  11      52.01        10.95         2.38         -5.00
L4  17    -141.89         5.14        -2.20         -5.16
L5  20      47.86        11.89         5.02         -2.27
L6  27     -51.14        19.87         3.63        -12.05
GB  35       ∞           1.73         0.60         -0.60
単レンズデータ
レンズ  始面  焦点距離
1       1    225.12
2       3   -134.81
3       4     93.02
4       6    -49.45
5       8    -38.51
6       9     56.02
7      11     75.60
8      13     44.76
9      14    -59.73
10      17    -31.26
11      18     41.05
12      20    177.91
13      22     43.97
14      23    -48.05
15      25     73.29
16      27    -56.69
17      29     52.52
18      31    -29.49
19      33     85.52
20      35      0.00
21      37      0.00
【実施例２】
【００５９】
図６に示す実施例２（数値例２）の光学系は、物体側から順に、正の第１レンズ群Ｌ１、負の第２レンズ群Ｌ２、正の第３レンズ群Ｌ３、開口絞りＳＰ、正の第４レンズ群Ｌ４およびガラスブロックＧＢにより構成されている。実施例２において、最大像高は１３．６６ｍｍである。像面ＩＰには、ＡＰＳ−Ｃ型（１５．２ｍｍ×２２．７ｍｍ）の撮像素子が配置される。この撮像素子の画素ピッチは、４．３μｍである。
【００６０】
図８（Ｂ）、図９（Ｂ）および図１０（Ｂ）に示す中間焦点距離での無限遠端、至近端および中間物体距離に対する合焦状態での横収差図から分かるように、コマ収差を出すことで、中間焦点距離での物体距離全域における像面湾曲の変動を少なくしている。
【００６１】
以下に実施例２の諸数値を示す。また、表１には、実施例２と上述した条件との関係を示す。
（数値例２）
単位 mm
面データ
面番号       r        d      nd         νd       有効径
1        219.691    1.98   1.84666    23.9       41.35
2         77.011    0.80                         38.49
3        110.857    2.79   1.77250    49.6       38.45
4      -1566.128    0.29                         37.69
5         57.811    3.26   1.77250    49.6       33.00
6        516.857  (可変)                         31.76
7*      1449.562    1.45   1.85400    40.4       29.52
8*        17.597    6.32                         23.53
9        -62.504    1.16   1.69100    54.8       23.28
10         79.992    0.17                         23.14
11         27.282    2.67   1.94595    18.0       23.38
12         61.859  (可変)                         22.95
13*        15.625    3.02   1.85135    40.1       13.31
14*       127.225    0.37                         12.51
15         13.245    3.60   1.77250    49.6       11.81
16       2319.692    0.70   1.80518    25.4       10.32
17          8.119    1.97                          8.97
18      -1265.485    1.74   1.48749    70.2        8.86
19        -42.123    0.98                          8.75
20(絞り)    ∞     (可変)                          8.53
21          ∞     (可変)                          8.72
22*       600.625    5.12   1.58313    59.4       27.51
23*       -35.796  (可変)                         28.21
24          ∞       1.21   1.51633    64.1       58.13
25          ∞       1.51                         58.13
26          ∞       0.60   1.51633    64.1       58.13
27          ∞     (可変)                         58.13
像面∞
非球面データ
第7面
K = 7.95128e+003  A 4=-8.46681e-006  A 6= 1.45376e-008  
第8面
K = 3.72976e-001  A 4=-1.13801e-005  A 6=-4.49670e-009  A 8=-4.98598e-010  A10= 1.72434e-012  
第13面
K =-2.06246e-001  A 4=-1.23394e-005  A 6= 1.79103e-007  A 8=-4.52541e-009  A10= 2.60955e-011  
第14面
K =-5.86105e+001  A 4= 8.28096e-006  A 6= 1.05159e-007  A 8=-2.30730e-009  
第22面
K = 1.81624e+003  A 4=-1.28722e-005  A 6= 2.00678e-007  A 8=-8.68491e-010  
第23面
K = 1.08981e+000  A 4=-2.12065e-005  A 6= 2.34886e-007  A 8=-9.22692e-010  A10= 3.32500e-013  
各種データ
ズーム比      3.81 
広角中間望遠
焦点距離      18.03    47.42    68.66  
Fナンバー      2.88     4.57     5.94  
画角          33.69    15.83    11.25  
像高          12.02    13.45    13.66  
レンズ全長    87.58   100.81   110.99  
BF             2.34     2.34     2.34  
d 6            1.10    14.03    20.22  
d12           23.85     6.03     0.99  
d20            0.77     2.42    16.50  
d21           11.46    29.23    23.11  
d23            6.32     5.03     6.09  
d27            2.34     2.34     2.34  
入射瞳位置    28.04    50.51    65.42  
射出瞳位置   -29.96   -94.15  -169.72  
前側主点位置  36.01    74.62   106.68  
後側主点位置 -15.69   -45.08   -66.32  
レンズ群データ
群  始面  焦点距離    レンズ構成長  前側主点位置  後側主点位置
L1   1      81.28         9.10         3.63         -1.92
L2   7     -20.76        11.78         0.97         -8.20
L3  13      23.78        12.40        -5.10        -12.01
FC  21       ∞           0.00         0.00         -0.00
L4  22      58.11         5.12         3.06         -0.18
GB  24       ∞           3.32         1.35         -1.35
単レンズデータ
レンズ  始面  焦点距離
1       1   -140.95
2       3    134.11
3       5     84.00
4       7    -20.87
5       9    -50.61
6      11     49.73
7      13     20.67
8      15     17.23
9      16    -10.12
10      18     89.34
11      22     58.11
12      24      0.00
13      26      0.00
【実施例３】
【００６２】
図１１に示す実施例３（数値例３）の光学系は、物体側から順に、正の第１レンズ群Ｌ１、負の第２レンズ群Ｌ２、開口絞りＳＰ、正の第３レンズ群Ｌ３、負の第４レンズ群Ｌ４、正の第５レンズ群Ｌ５およびガラスブロックＧＢにより構成されている。実施例３において、最大像高は３．８７５ｍｍである。像面ＩＰには、１／２．３型（４．６５ｍｍ×６．２ｍｍ）の撮像素子が配置される。この撮像素子の画素ピッチは、１．４μｍである。
【００６３】
図１２（Ａ），（Ｂ）に示す広角端および中間焦点距離での無限遠物体距離に対する合焦状態の縦収差図から分かるように、収差は良好に補正されている。また、図１３（Ｂ）、図１４（Ｂ）および図１５（Ｂ）に示す望遠端での無限遠端、至近端および中間物体距離に対する合焦状態での横収差図から分かるように、コマ収差を出すことで、望遠端での物体距離全域における像面湾曲の変動を少なくしている。
【００６４】
以下に実施例３の諸数値を示す。また、表１には、実施例３と上述した条件との関係を示す。
（数値例３）
単位 mm
面データ
面番号       r        d      nd         νd       有効径
1        112.067    1.80   1.80610    33.3       39.40
2         52.885    5.03   1.49700    81.5       35.90
3       -218.600    0.18                         35.80
4         45.553    3.22   1.59282    68.6       34.70
5        131.490  (可変)                         34.20
6        120.679    0.95   1.88300    40.8       19.70
7          8.615    4.92                         14.10
8        -34.305    0.70   1.77250    49.6       13.90
9         28.642    0.20                         13.80
10         16.947    2.30   1.92286    18.9       14.10
11         89.165  (可変)                         13.80
12(絞り)    ∞     (可変)                          6.68
13*         9.778    4.30   1.55332    71.7        9.50
14*       -74.715    1.67                          9.50
15         38.527    0.50   1.64769    33.8        9.00
16         10.092    0.37                          9.00
17         13.822    0.50   1.80400    46.6        9.00
18          8.013    2.11   1.48749    70.2        9.00
19        -31.006  (可変)                          8.31
20       -564.447    0.70   1.48749    70.2        8.60
21         26.449  (可変)                          8.70
22         20.740    2.25   1.78590    44.2       11.80
23        -55.591    1.26   1.94595    18.0       11.70
24      -1698.441  (可変)                         11.60
25          ∞       0.30   1.51633    64.1       20.00
26          ∞       0.47                         20.00
27          ∞       0.50   1.51633    64.1       20.00
28          ∞     (可変)                         20.00
像面∞
非球面データ
第13面
K =-5.29634e-001  A 4=-2.26010e-005  A 6= 1.07748e-007  A 8=-2.96223e-008  A10= 7.23156e-010  
第14面
K =-2.41360e+002  A 4=-2.87477e-005  A 6= 3.05881e-007  
各種データ
ズーム比     33.54 
広角中間望遠
焦点距離       4.42    12.77   148.25  
Fナンバー      2.70     4.26     5.03  
画角          37.01    16.88     1.50  
像高           3.33     3.88     3.88  
レンズ全長    94.78    94.62   138.53  
BF             0.53     0.53     0.53  
d 5            0.92    17.42    62.79  
d11           31.72    17.57     1.27  
d12           12.69     0.50     3.21  
d19            2.68     3.23     2.48  
d21            3.22     5.67    24.20  
d24            8.78    15.48     9.83  
d28            0.53     0.53     0.53  
入射瞳位置    18.62    47.44   564.42  
射出瞳位置  -5771.10   -49.53   129.32  
前側主点位置  23.04    56.95   883.31  
後側主点位置  -3.89   -12.24  -147.72  
レンズ群データ
群  始面  焦点距離    レンズ構成長  前側主点位置  後側主点位置
L1   1      82.06        10.23         2.82         -3.76
L2   6      -9.87         9.07         0.74         -6.39
SP  12       ∞           0.00         0.00         -0.00
L3  13      18.85         9.45        -0.20         -7.09
L4  20     -51.81         0.70         0.45         -0.02
L5  22      28.04         3.51        -0.07         -1.98
GB  25       ∞           1.27         0.50         -0.50
単レンズデータ
レンズ  始面  焦点距離
1       1   -125.94
2       2     86.21
3       4    115.95
4       6    -10.55
5       8    -20.11
6      10     22.33
7      13     15.92
8      15    -21.26
9      17    -24.66
10      18     13.30
11      20    -51.81
12      22     19.47
13      23    -60.78
14      25      0.00
15      27      0.00
【００６５】
【表１】
2014021313.tif 000004
【００６６】
以上説明した各実施例は代表的な例にすぎず、本発明の実施に際しては、各実施例に対して種々の変形や変更が可能である。
【産業上の利用可能性】
【００６７】
物体距離全域での高画質化や小型化が可能な光学系および撮像装置を提供することができる。
【符号の説明】
【００６８】
Ｌ１  第１レンズ群
Ｌ２  第２レンズ群
ＩＰ  像面（撮像素子）
【図１】
2014021313.tif 000005
【図２】
2014021313.tif 000006
【図３】
2014021313.tif 000007
【図４】
2014021313.tif 000008
【図５】
2014021313.tif 000009
【図６】
2014021313.tif 000010
【図７】
2014021313.tif 000011
【図８】
2014021313.tif 000012
【図９】
2014021313.tif 000013
【図１０】
2014021313.tif 000014
【図１１】
2014021313.tif 000015
【図１２】
2014021313.tif 000016
【図１３】
2014021313.tif 000017
【図１４】
2014021313.tif 000018
【図１５】
2014021313.tif 000019
【図１６】
2014021313.tif 000020
【図１７】
2014021313.tif 000021
【図１８】
2014021313.tif 000022
【図１９】
2014021313.tif 000023
【図２０】
2014021313.tif 000024